(57)【要約】【課題】メロディの発生に連動して画像表示を行う携帯電話機を提供する。【解決手段】メロディデータαには、トリガデータＴＡ，ＴＢ，ＴＣ，ＴＤが時間軸ｔに対応して時系列的に埋め込まれている。そして、メロディデータαに対応するメロディの鳴動中にトリガデータＴＡが検出されたとき、同トリガデータＴＡに対応する画像ＰＡが表示される。この後、同様に、トリガデータＴＢ，ＴＣ，ＴＤが検出されたとき、対応する画像ＰＢ，ＰＣ，ＰＤが表示される。【選択図】      図４
2004242147.tif 000002
【特許請求の範囲】
【請求項１】
自電話機に向けられた電波が着信したとき、又はメロディの鳴動を要求する操作が行われたとき、予め設定されたメロディを鳴動する携帯電話機であって、
前記メロディを鳴動するためのメロディデータ中に複数のトリガデータを任意のタイミングで時系列的に埋め込み、前記メロディを鳴動するときに前記トリガデータを順次検出し、検出されたトリガデータに対応する画像を順次表示する構成とされていることを特徴とする携帯電話機。
【請求項２】
自電話機に向けられた電波が着信したとき、又はメロディの鳴動を要求する操作が行われたとき、予め設定された１つ又は複数のメロディの中から選択されたメロディを鳴動すると共に、予め設定された画像を表示する携帯電話機であって、
前記メロディを鳴動するための１つ又は複数のメロディデータ、及び前記各メロディデータ中に任意のタイミングで時系列的に埋め込まれて前記画像の表示を開始するための複数のトリガデータを格納するメロディデータ格納部と、
前記各トリガデータに対応した複数の画像データを格納する画像データ格納部と、
供給されたメロディデータに基づくメロディを鳴動すると共に、このメロディデータに埋め込まれている前記トリガデータを順次検出するメロディ発生部と、
供給された画像データに基づく画像を表示する画像表示部と、
メロディの鳴動を要求する前記操作を行うための操作部と、
前記メロディデータ中に前記複数のトリガデータを埋め込み、前記電波が着信したとき、又は前記操作部で前記操作が行われたとき、前記着信した電波又は前記操作に対応するメロディデータを前記メロディデータ格納部から読み出して前記メロディ発生部に供給すると共に、該メロディ発生部で検出された前記トリガデータに対応する前記画像データを前記画像データ格納部から選択して読み出し、前記画像表示部に供給する制御部とを備えてなることを特徴とする携帯電話機。
【請求項３】
前記トリガデータは、
前記画像データを前記画像データ格納部から読み出すためのアドレスを含むことを特徴とする請求項２記載の携帯電話機。
【請求項４】
自電話機に向けられた電波が着信したとき、又はメロディの鳴動を要求する操作が行われたとき、予め設定されたメロディを鳴動する携帯電話機に用いられ、前記メロディの鳴動と共に画像を表示する画像表示方法であって、
前記メロディを鳴動するためのメロディデータ中に複数のトリガデータを任意のタイミングで時系列的に埋め込み、前記メロディを鳴動するときに前記トリガデータを順次検出し、検出されたトリガデータに対応する画像を順次表示することを特徴とする画像表示方法。
【請求項５】
自電話機に向けられた電波が着信したとき、又はメロディの鳴動を要求する操作が行われたとき、予め設定された１つ又は複数のメロディの中から選択されたメロディを鳴動する携帯電話機に用いられ、前記メロディの鳴動と共に画像を表示する画像表示方法であって、
前記メロディを鳴動するための１つ又は複数のメロディデータ、及び前記各メロディデータ中に任意のタイミングで時系列的に埋め込まれて前記画像の表示を開始するための複数のトリガデータをメロディデータ格納部に格納し、かつ、前記各トリガデータに対応した複数の画像データを画像データ格納部に格納しておき、
前記電波が着信したとき、又は前記操作部で前記操作が行われたとき、前記着信した電波又は前記操作に対応するメロディデータを前記メロディデータ格納部から選択して読み出すメロディデータ読出し処理と、
読み出されたメロディデータに基づいてメロディを鳴動するメロディ鳴動処理と、
前記メロディデータに埋め込まれている前記トリガデータを順次検出するトリガデータ検出処理と、
検出された前記トリガデータに対応する前記画像データを前記画像データ格納部から読み出して順次表示する表示処理とを行うことを特徴とする画像表示方法。
【請求項６】
前記トリガデータは、
前記画像データを前記画像データ格納部から読み出すためのアドレスを含むことを特徴とする請求項５記載の画像表示方法。
【請求項７】
コンピュータに請求項１、２又は３記載の携帯電話機を制御させるための画像表示制御プログラム。
【発明の詳細な説明】
【０００１】
【発明の属する技術分野】
この発明は、携帯電話機、該携帯電話機に用いられる画像表示方法及び画像表示制御プログラムに係り、特に、メロディを発生すると共に画像を表示する機能を有する携帯電話機、該携帯電話機に用いられる画像表示方法及び画像表示制御プログラムに関する。
【０００２】
【従来の技術】
携帯電話機では、発信の操作時、表示部に相手先の電話番号が表示され、相手先が内部の電子電話帳に登録されていれば、相手先の名前も表示される。また、着信時に着信音が発生し、相手先の電話機が発信者番号非通知に設定されていなければ、表示部に相手先の電話番号が表示され、相手先が電子電話帳に登録されていれば、相手先の名前も表示される。また、近年では、着信時、着メロ（着信メロディ）により着信通知が行われ、同時に画像が表示されるものも多くなっている。
【０００３】
この種の携帯電話機は、従来では、たとえば、図６に示すように、アンテナ１と、無線部２と、ベースバンド処理部３と、メロディデータ格納部４と、画像データ格納部５と、操作部６と、制御部７と、音源制御部８と、スピーカ９と、表示部１０とから構成されている。アンテナ１は、図示しない無線基地局と電波Ｗを送受信する。無線部２は、アンテナ１を介して無線データの送受信処理を行い、同アンテナ１を介して電波Ｗを受信したとき、無線データに対して復調などの処理を行う。ベースバンド処理部３は、制御部７に対して音声の着信やメールの着信などを通知する。メロディデータ格納部４は、着メロとして使用するためのメロディデータを格納する。
【０００４】
画像データ格納部５は、たとえば待ち受け画像など、表示部１０に表示するための画像データを格納する。操作部６は、複数のボタンスイッチから構成され、文字などの入力や項目の選択など、ユーザが携帯電話機に対して各種操作を行うための手段である。制御部７は、この携帯電話機全体の制御を行う。音源制御部８は、メロディデータ格納部４から制御部７を介して供給されたメロディデータに基づく音声信号を生成する。スピーカ９は、音声信号を実際の音に変換する。表示部１０は、たとえば、液晶表示装置などで構成され、操作結果や着信など、各種情報の画像表示を行う他、画像データ格納部５から制御部７を介して供給された画像データに基づく画像を表示する。
【０００５】
この携帯電話機では、電波Ｗがアンテナ１を介して受信され、無線部２で無線データが復調される。また、着信した旨が表示部１０に表示されると共に、スピーカ９から着メロが発生し、ユーザに着信通知される。このとき、画像データ格納部５に格納されている画像データに基づく画像（動画も含む）が表示部１０に表示される。
【０００６】
上記の携帯電話機の他、従来、この種の技術としては、たとえば、次のような文献に記載されるものがあった。
特許文献１に記載された無線電話装置では、表示手段によって表示されるキャラクタの各画面は、メロディ発生手段によって発生するメロディのテンポに同期して切り替えられる。このため、着信メロディが発生する場合、表示画面が着信メロディのリズムに合わせて切り換えられ、ユーザは、この表示画面を見て楽しむことができる。
【０００７】
特許文献２に記載された通信装置では、所定ビット数のビット列の内容にそれぞれ対応付けられた複数種類の姿態のキャラクタを表示するためのキャラクタデータをそれぞれ記憶する記憶手段が設けられている。そして、着信時に着メロの音階に対応する複数ビットのデータが認識され、同データが前記所定ビット数毎に区画されて各区画のビット列の内容に応じたキャラクタデータが前記記憶手段から順次読み出される。これらのキャラクタデータに対応するキャラクタの画像が順次表示される。
【０００８】
【特許文献１】
特開平２００１−００７８９５号公報（第１頁、図４）
【特許文献２】
特開平２００１−３０８９８５号公報（第１頁、図５）
【０００９】
【発明が解決しようとする課題】
しかしながら、上記従来の携帯電話機では、次のような問題点があった。
すなわち、図６の携帯電話機では、着信時にメロディの鳴動及び画像表示が行われるが、たとえば、カラオケ装置のようなメロディに連動した画像表示は行われない。このため、表示されている画像は、ユーザにとって実用的ではあるが、面白みがないという問題点がある。また、動画を表示する場合は、画像データ格納部５に動画ファイルを格納する必要があり、同画像データ格納部５が大規模になるという問題点がある。
【００１０】
また、特許文献１に記載された無線電話装置では、着信メロディが発生する場合、表示画面が着メロのリズムに合わせて切り換えられるが、図６の携帯電話機と同様に、カラオケ装置のようなメロディに連動した画像表示は行われないという問題点がある。
【００１１】
特許文献２に記載された通信装置では、着メロの音階に対応するキャラクタデータに基づいて画像が表示されるが、図６の携帯電話機と同様に、カラオケ装置のようなメロディに連動した画像表示は行われないという問題点がある。
【００１２】
この発明は、上述の事情に鑑みてなされたもので、メロディの鳴動に連動して画像表示を行う携帯電話機、該携帯電話機に用いられる画像表示方法及び画像表示制御プログラムを提供することを目的としている。
【００１３】
【課題を解決するための手段】
上記課題を解決するために、請求項１記載の発明は、自電話機に向けられた電波が着信したとき、又はメロディの鳴動を要求する操作が行われたとき、予め設定されたメロディを鳴動する携帯電話機に係り、前記メロディを鳴動するためのメロディデータ中に複数のトリガデータを任意のタイミングで時系列的に埋め込み、前記メロディを鳴動するときに前記トリガデータを順次検出し、検出されたトリガデータに対応する画像を順次表示する構成とされていることを特徴としている。
【００１４】
請求項２記載の発明は、自電話機に向けられた電波が着信したとき、又はメロディの鳴動を要求する操作が行われたとき、予め設定された１つ又は複数のメロディの中から選択されたメロディを鳴動すると共に、予め設定された画像を表示する携帯電話機に係り、前記メロディを鳴動するための１つ又は複数のメロディデータ、及び前記各メロディデータ中に任意のタイミングで時系列的に埋め込まれて前記画像の表示を開始するための複数のトリガデータを格納するメロディデータ格納部と、前記各トリガデータに対応した複数の画像データを格納する画像データ格納部と、供給されたメロディデータに基づくメロディを鳴動すると共に、このメロディデータに埋め込まれている前記トリガデータを順次検出するメロディ発生部と、供給された画像データに基づく画像を表示する画像表示部と、メロディの鳴動を要求する前記操作を行うための操作部と、前記メロディデータ中に前記複数のトリガデータを埋め込み、前記電波が着信したとき、又は前記操作部で前記操作が行われたとき、前記着信した電波又は前記操作に対応するメロディデータを前記メロディデータ格納部から読み出して前記メロディ発生部に供給すると共に、該メロディ発生部で検出された前記トリガデータに対応する前記画像データを前記画像データ格納部から選択して読み出し、前記画像表示部に供給する制御部とを備えてなることを特徴としている。
【００１５】
請求項３記載の発明は、請求項２記載の携帯電話機に係り、前記トリガデータは、前記画像データを前記画像データ格納部から読み出すためのアドレスを含むことを特徴としている。
【００１６】
請求項４記載の発明は、自電話機に向けられた電波が着信したとき、又はメロディの鳴動を要求する操作が行われたとき、予め設定されたメロディを鳴動する携帯電話機に用いられ、前記メロディの鳴動と共に画像を表示する画像表示方法に係り、前記メロディを鳴動するためのメロディデータ中に複数のトリガデータを任意のタイミングで時系列的に埋め込み、前記メロディを鳴動するときに前記トリガデータを順次検出し、検出されたトリガデータに対応する画像を順次表示することを特徴としている。
【００１７】
請求項５記載の発明は、自電話機に向けられた電波が着信したとき、又はメロディの鳴動を要求する操作が行われたとき、予め設定された１つ又は複数のメロディの中から選択されたメロディを鳴動する携帯電話機に用いられ、前記メロディの鳴動と共に画像を表示する画像表示方法に係り、前記メロディを鳴動するための１つ又は複数のメロディデータ、及び前記各メロディデータ中に任意のタイミングで時系列的に埋め込まれて前記画像の表示を開始するための複数のトリガデータをメロディデータ格納部に格納し、かつ、前記各トリガデータに対応した複数の画像データを画像データ格納部に格納しておき、前記電波が着信したとき、又は前記操作部で前記操作が行われたとき、前記着信した電波又は前記操作に対応するメロディデータを前記メロディデータ格納部から選択して読み出すメロディデータ読出し処理と、読み出されたメロディデータに基づいてメロディを鳴動するメロディ鳴動処理と、前記メロディデータに埋め込まれている前記トリガデータを順次検出するトリガデータ検出処理と、検出された前記トリガデータに対応する前記画像データを前記画像データ格納部から読み出して順次表示する表示処理とを行うことを特徴としている。
【００１８】
請求項６記載の発明は、請求項５記載の画像表示方法に係り、前記トリガデータは、前記画像データを前記画像データ格納部から読み出すためのアドレスを含むことを特徴としている。
【００１９】
請求項７記載の発明は、画像表示制御プログラムに係り、コンピュータに請求項１、２又は３記載の携帯電話機を制御させることを特徴としている。
【００２０】
【発明の実施の形態】
以下、図面を参照して、この発明の実施の形態について説明する。
図１は、この発明の実施形態である携帯電話機の電気的構成を示すブロック図である。
この形態の携帯電話機は、同図に示すように、アンテナ１１と、無線部１２と、ベースバンド処理部１３と、メロディデータ格納部１４と、画像データ格納部１５と、操作部１６と、制御部１７と、音源制御部１８と、スピーカ１９と、表示部２０とから構成されている。アンテナ１１は、図示しない無線基地局と電波Ｗを送受信する。無線部１２は、アンテナ１１を介して無線データの送受信処理を行い、同アンテナ１１を介して電波Ｗを受信したとき、無線データに対して復調などの処理を行う。ベースバンド処理部１３は、制御部１７に対して音声の着信やメールの着信などを通知する。
【００２１】
メロディデータ格納部１４は、たとえば、ＦｌａｓｈＲＯＭ（Ｆｌａｓｈ  Ｒｅａｄ  Ｏｎｌｙ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）  、ＤＲＡＭ（Ｄｙｎａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  ＤＲＡＭ）  など、書換え可能なメモリで構成され、着メロなどに使用するためのメロディデータを格納し、特に、この実施形態では、１つ又は複数のメロディデータ、及び同各メロディデータ中に任意のタイミングで時系列的に埋め込まれて表示部２０における画像の表示を開始するための複数のトリガデータを格納する。これらの格納されているメロディデータは、初めから格納されているデータ、たとえばインターネットなどを経由して外部から入力されたデータ、携帯電話機自体のメロディ作成機能によるデータなどである。
【００２２】
画像データ格納部１５は、メロディデータ格納部１４と同様に、ＦｌａｓｈＲＯＭ、ＳＲＡＭ、ＤＲＡＭ、ＳＤＲＡＭ  などで構成され、たとえば待ち受け画像など、表示部２０に表示するための画像データを格納し、特に、この実施形態では、前記各トリガデータに対応した複数の画像データを格納する。これらの格納されている画像データは、初めから格納されているデータ、たとえばインターネットなどを経由して外部から入力されたデータ、携帯電話機自体のカメラ機能による画像データなどである。操作部１６は、複数のボタンスイッチから構成され、文字などの入力や項目の選択など、ユーザが携帯電話機に対して各種操作を行うための手段であり、たとえば、メロディの鳴動を要求する操作や、前記各トリガデータの入力を行う。
【００２３】
制御部１７は、ＣＰＵ（中央処理装置）１７ａ、及び同ＣＰＵ１７ａに携帯電話機を制御させるための画像表示制御プログラムが記録されたＲＯＭ（リード・オンリ・メモリ）１７ｂを有している。制御部１７は、操作部１６における操作に基づき、メロディデータ格納部１４に格納されるメロディデータ中に複数のトリガデータを埋め込み、電波Ｗが着信したとき、又は操作部１６でメロディの鳴動を要求する操作が行われたとき、着信した電波Ｗ又は同操作に対応するメロディデータをメロディデータ格納部１４から選択して読み出し、音源制御部１８に供給すると共に、同音源制御部１８で検出されたトリガデータに対応する画像データを画像データ格納部１５から読み出して表示部２０に供給する。これらのトリガデータには、画像データを画像データ格納部１５から読み出すためのアドレスが含まれている。
【００２４】
音源制御部１８は、メロディデータ格納部１４から制御部１７を介して供給されたメロディデータに基づく音声信号を生成する。この場合、音源としては、たとえば、ＰＣＭ音源やＦＭ音源などが用いられる。音源制御部１８は、スピーカ１９に音声信号を送出することにより、供給されたメロディデータに基づくメロディを鳴動すると共に、このメロディデータに埋め込まれているトリガデータを順次検出する。表示部２０は、たとえば、液晶表示装置などで構成され、操作結果や着信など、各種情報の画像表示を行う他、画像データ格納部１５から制御部１７を介して供給された画像データに基づく画像を順次表示する。
【００２５】
図２は、図１の携帯電話機の動作を説明するためのフローチャート、図３は、同携帯電話機におけるデータの流れを説明する図、図４及び図５が、メロディデータと表示画面との対応関係を説明する図である。
これらの図を参照して、この形態の携帯電話機に用いられる画像表示方法の処理内容について説明する。
まず、操作部１６を操作することにより、メロディを鳴動するための１つ又は複数のメロディデータ、及び同各メロディデータ中に任意のタイミングで時系列的に埋め込まれて画像の表示を開始するための複数のトリガデータをメロディデータ格納部１４に格納し、かつ、同各トリガデータに対応した複数の画像データを画像データ格納部１５に格納しておく。
【００２６】
この後、図２に示すように、電波Ｗがアンテナ１１を介して着信（たとえば、音声やメールの着信）して無線部１２で無線データが復調され、ベースバンド部１３から制御部１７へ着信通知されたとき、又はメロディの鳴動を要求する操作が操作部１６で行われたとき（ステップＭ１）、メロディデータ格納部１４に格納されている複数のメロディデータの中から同電波Ｗ又は同操作に対応する１つのメロディデータが選択されて読み出される（ステップＭ２、メロディデータ読出し処理、図３中の▲１▼，▲２▼）。この場合、同電波Ｗの発信元に対応したメロディデータ、又は同操作に対応して設定されているメロディデータが選択される。選択されたメロディデータは、制御部１７でエラーチェックなどが行われて音源制御部１８によるメロディの鳴動を開始できることが確認され、確認後に同音源制御部１８へ送出される（ステップＭ３、図３中の▲３▼）。
【００２７】
そして、読み出されたメロディデータが音源制御部１８の音源にセットされ、同メロディデータに基づいてスピーカ１９からメロディが鳴動される（ステップＭ４、メロディ鳴動処理）。このメロディ鳴動処理が行われている間、メロディデータに埋め込まれているトリガデータが音源制御部１８で検出される（ステップＭ５、トリガデータ検出処理、図３中の▲４▼）。検出されたトリガデータに基づいて音源制御部１８から制御部１７に画像表示要求が通知される。そして、トリガデータに含まれるアドレスに基づいて制御部１７から画像データ格納部１５がアクセスされ（図３中の▲５▼）、同トリガデータに対応する画像データが画像データ格納部１５から読み出され（図３中の▲６▼）、表示部２０に同画像データが供給されて画像が表示される（ステップＭ６、表示処理、図３中の▲７▼）。再びステップＭ４へ戻り、メロディの鳴動、トリガデータ検出（ステップＭ５）が繰り返され、表示部２０に画像が順次表示される（ステップＭ６）。
【００２８】
前記ステップＭ５においてトリガデータが検出されない場合、メロディ停止通知が検出されないとき（ステップＭ７）、メロディの鳴動を終了するか否かが判定され（ステップＭ８）、終了しない場合は、ステップＭ４へ戻る。また、たとえば、着信メロディ発生中に着信をオンフックしたことにより、操作部１６からメロディの鳴動の停止要求があり、メロディ停止通知が検出されたとき（ステップＭ７）、メロディの鳴動が終了する（ステップＭ９）。前記ステップＭ８において、音源制御部１８の音源にセットされているメロディデータによるメロディの鳴動が終了するとき、ステップＭ９へ進む。
【００２９】
図４では、図２中のステップＭ６（表示処理）における音源制御部１８に供給されるメロディデータと表示部２０の表示画面との対応関係が示されている。すなわち、メロディデータ格納部１４から読み出された１つのメロディデータαには、トリガデータＴＡ，ＴＢ，ＴＣ，ＴＤが時間軸ｔに対応して時系列的に埋め込まれている。そして、メロディデータαに対応するメロディの鳴動中にトリガデータＴＡが検出されたとき、同トリガデータＴＡに対応する画像ＰＡが表示される。この後、同様に、トリガデータＴＢ，ＴＣ，ＴＤが検出されたとき、対応する画像ＰＢ，ＰＣ，ＰＤが表示される。
【００３０】
また、図５では、音源制御部１８に３つのメロディデータα，β，γの中から一つが供給される例が示されている。メロディデータα，β，γには、それぞれ異なるタイミングでトリガデータＴＡ，ＴＢ，ＴＣ，ＴＤが埋め込まれている。ただし、メロディデータγ中のトリガデータＴＤは、図示されていない。また、これらのメロディデータα，β，γは、メロディデータ格納部１４中の個別のフォルダに格納されている。メロディデータα，β，γの全てに対応して画像ＰＡ，ＰＢ，ＰＣ，ＰＤが連動して表示されるとすると、同メロディデータα，β，γの中から任意の一つを選択し、順次入れ替えることにより、鳴動されるメロディが変化するが、表示される画像は同一になる。この場合、メロディデータα，β，γ中のトリガデータＴＡ，ＴＢ，ＴＣ，ＴＤのタイミングがそれぞれ異なるため、画像ＰＡ，ＰＢ，ＰＣ，ＰＤの変化する速度が異なる。たとえば、メロディデータβでは、これらのトリガデータＴＡ，ＴＢ，ＴＣ，ＴＤの間隔がメロディデータα，γよりも短く設定されているので、画像ＰＡ，ＰＢ，ＰＣ，ＰＤが動画のように変化する。また、図示しない他の複数の画像データを画像データ格納部１５に格納しておき、１つのメロディデータのみを用いて鳴動し、画像データの中から任意の一つを選択し、順次入れ替えることにより、鳴動されるメロディは同一になるが、表示される画像が変化する。このため、携帯電話機がたとえばカラオケ装置のように使用される。
【００３１】
以上のように、この実施形態では、メロディデータαにトリガデータＴＡ，ＴＢ，ＴＣ，ＴＤが時系列的に埋め込まれ、同トリガデータＴＡ，ＴＢ，ＴＣ，ＴＤに対応する画像ＰＡ，ＰＢ，ＰＣ，ＰＤが表示されるので、メロディに連動して画像が表示される。また、トリガデータＴＡ，ＴＢ，ＴＣ，ＴＤの間隔を短く設定することにより、画像ＰＡ，ＰＢ，ＰＣ，ＰＤを動画のように変化させることもできる。また、メロディデータ格納部１４に格納するデータは、メロディデータの他にはトリガデータのみであるため、画像ＰＡ，ＰＢ，ＰＣ，ＰＤを動画のように変化させる場合でも、画像データ格納部１５に特別な動画ファイルなどを設ける必要がないので、比較的小規模の構成で動画と同様の画像が得られる。したがって、携帯電話機に、たとえばカラオケ装置のような機能を持たせることができる。
【００３２】
以上、この発明の実施形態を図面により詳述してきたが、具体的な構成はこの実施形態に限られるものではなく、この発明の要旨を逸脱しない範囲の設計の変更などがあっても、この発明に含まれる。
たとえば、メロディデータ格納部１４にスライドショー用のメロディデータを複数格納し、かつ画像データ格納部１５にカメラで撮影した複数の画像を格納しておき、これらの画像をメロディに合わせて表示することにより、携帯電話機をスライドショー（一連の画像ファイルを次々に表示する機能）として用いることができる。従来の携帯電話機でも、スライドショーの機能を有するものがあるが、本発明では、メロディデータを新たにダウンロードしてトリガデータを埋め込むことにより、画像の表示速度や表示されている時間を可変できる。
【００３３】
また、図２中のステップＭ３において、メロディの鳴動の開始が確認された後、所定の時間が設定されたタイマをスタートさせ、同タイマの計時の終了時点をトリガデータの発生時点としても良い。また、表示部２０は、液晶表示装置の他、ＥＬ（エレクトロ・ルミネセンス）などでも良い。
【００３４】
【発明の効果】
以上説明したように、この発明の構成によれば、メロディデータに複数のトリガデータが任意のタイミングで時系列的に埋め込まれ、同各トリガデータに対応する各画像が時系列的に表示されるので、メロディに連動した画像を表示できる。また、各トリガデータの間隔を短く設定することにより、各画像を動画のように変化させることもできる。また、メロディデータ格納部に格納するデータは、メロディデータの他にはトリガデータのみであるため、各画像を動画のように変化させる場合でも、同画像データ格納部に特別な動画ファイルなどを設ける必要がないので、比較的小規模の構成で動画と同様の画像を得ることができる。
【図面の簡単な説明】
【図１】この発明の実施形態である携帯電話機の電気的構成を示すブロック図である。
【図２】図１の携帯電話機の動作を説明するためのフローチャートである。
【図３】図１の携帯電話機におけるデータの流れを説明する図である。
【図４】メロディデータと画像との対応関係を説明する図である。
【図５】メロディデータと画像との対応関係を説明する図である。
【図６】従来の携帯電話機の電気的構成を示すブロック図である。
【符号の説明】
１１      アンテナ
１２      無線部
１３      ベースバンド処理部
１４      メロディデータ格納部
１５      画像データ格納部
１６      操作部
１７      制御部
１７ａ      ＣＰＵ（中央処理装置）
１７ｂ      ＲＯＭ（リード・オンリ・メモリ）
１８      音源制御部（メロディ発生部）
１９      スピーカ（メロディ発生部）
２０      表示部（画像表示部）
ＴＡ，ＴＢ，ＴＣ，ＴＤ      トリガデータ
ＰＡ，ＰＢ，ＰＣ，ＰＤ      画像データ
Ｗ      電波
【図１】
2004242147.tif 000003
【図２】
2004242147.tif 000004
【図３】
2004242147.tif 000005
【図４】
2004242147.tif 000006
【図５】
2004242147.tif 000007
【図６】
2004242147.tif 000008